【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
データを保存するためのメモリー及び計画最適化ソフトウエアを中に有する処置計画最適化コンピューター、並びに計画最適化ソフトウエアの機能を制御するためにユーザーにアクセスを提供するための処置計画最適化コンピューターと連絡する入力装置、を含むコンピューター計画装置；
処置計画最適化コンピューターと連絡する通信網；
腫瘍の標的体積及び非標的の構造物体積の少なくとも二次元の画像スライスを提供するために通信網をとおして処置計画最適化コンピューターと連絡する画像収集装置；
を含んでなり、
ここで計画最適化ソフトウエアは、提案される放射線ビーム配列をコンピューターにより獲得し且つ複数の制約に基づいて、提案される放射線ビーム配列を反復的にコンピューターにより最適化して最適化放射線ビーム配列を形成するようになっており、計画最適化ソフトウエアは、各々の提案される放射線ビーム配列に対して画像スライス、グラフィック・オブジェクト及び放射線量分布のグラフ表示を表示するためのグラフィックユーザーインターフェイスを含み、計画最適化ソフトウエアは、更に、グラフィックユーザーインターフェイス上に表示される放射線量分布のグラフ表示の双方向の直接グラフ操作を表示する入力装置からの入力を受信し、それにより最適化された放射線ビーム配列を開発するように新たに提案された放射線ビーム配列を双方向的にコンピューターにより獲得し且つグラフに表示するようになっており；そして
患者に最適化放射線ビーム配列を適用するために通信網をとおして処置計画最適化コンピューターと連絡する等角放射線治療の送達装置；
を含んでなる、
患者における非標的の構造物体積の放射線を最少にしながら腫瘍の標的体積に放射線を適用するための最適な放射線ビーム配列を決定するためのシステム。
【請求項２】
放射線量分布のグラフ表示が、複数の等線量曲線を含む等線量プロットの形態にあり、そこで等線量プロットの等線量曲線が、標的の腫瘍体積及び非標的の構造物体積の少なくとも１つに対する放射線量を最適化放射線ビーム配列を形成するように変化させるために、入力装置を操作するユーザーによりグラフ上に直接操作可能である、請求項１のシステム。
【請求項３】
放射線量分布のグラフ表示が複数の線量体積ヒストグラムのプロットの形態にあり、そこで少なくとも１種の線量体積ヒストグラムのプロットが、標的の腫瘍体積及び非標的の構造物体積の少なくとも１つに対する放射線量を最適化放射線ビーム配列を生じさせるように変化させるために入力装置を操作するユーザーによりグラフ上に直接操作可能である、請求項１のシステム。
【請求項４】
コンピューターにより実行される時に、コンピューターに以下の操作：
標的の腫瘍体積及び非標的の構造物体積の画像スライスをグラフに表示するデータを提供し；そして
第１の放射線ビーム配列に従って、画像スライス上にそして複数の等線量曲線を含む等線量プロットの形態で標的の腫瘍体積及び非標的の構造物体積に対する放射線量をグラフで表示するデータを提供すること、
を実行させる１組の指令を含んでなり、
ここで等線量プロットの等線量曲線は、標的の腫瘍体積及び非標的の構造物体積の少なくとも１つに対する放射線量を第２の放射線ビーム配列を形成するように変更するために、ユーザーにより直接グラフ上に操作可能である、
患者における非標的の構造物体積に対する放射線を最少にしながら標的の腫瘍体積に放射線を適用するための最適化放射線ビーム配列を決定するための、コンピュータープログラムを含むコンピューター読み取り可能な媒体。
【請求項５】
コンピューターにより実行される時に、コンピューターに以下の操作：
位置決め装置とインターフェイスして、表示される第１の放射線ビーム配列を変更し；
そして
位置決め装置に対するユーザーの入力に応答して、所望の線量レベルを有する出発−ドラッグ点及び望ましくない線量レベルを有する終結ドラッグ点をつなぐ、ユーザーが選択したラインに沿った制約（ｃｏｎｓｔｒａｉｎｔ）を確立し、そして所望の線量レベルに実質的に等しい終結ドラッグ点における線量レベルを構成し、それにより第２の放射線ビーム配列を形成すること、
を実施させる指令をコンピュータープログラムが更に含んでなる請求項４のコンピューター読み取り可能な媒体。
【請求項６】
望ましくない線量レベルが所望の線量レベルより大きい時は、ユーザーが選択したラインに沿って確立された制約がユーザーの選択ラインに沿った線量を所望の線量レベルを超えない値のレベルに制約し、そして望ましくない線量レベルが所望の線量レベルより小さい時には、ユーザーが選択したラインに沿って確立された制約がユーザーが選択したラインに沿った線量を所望の線量レベル以上の値のレベルに制約する、請求項５のコンピューター読み取り可能な媒体。
【請求項７】
コンピューターにより実行される時に、コンピューターに以下の操作：
位置決め装置とインターフェイスして、表示された第１の放射線ビーム配列を変更し；
そして
位置決め装置へのユーザーの入力に応答して、ユーザーに所望される線量レベルを有する等線量曲線の第１の部分を選択し、そして画像スライス上の第１の選択される位置から画像スライス上の第２の選択される位置へのユーザーに所望される経路に沿ったユーザーによる位置決め装置のドラッグに応答して、ユーザーの所望する経路に実質的に隣接して等線量曲線を再位置付けして、それにより第２の放射線ビーム配列を形成すること、
を実施させる指令をコンピュータープログラムが更に含んでなる、請求項４のコンピューター読み取り可能な媒体。
【請求項８】
コンピューターにより実行される時に、コンピューターに以下の操作：
位置決め装置とインターフェイスして、表示される放射線ビーム配列を変更し；そして
第１の放射線ビーム配列に従う等線量曲線のユーザーの選択に応答して、等線量曲線内の放射線量の値を等線量曲線の外側の放射線量の値に実質的に等しく構成し、それにより第２の放射線ビーム配列を形成すること、
を実施させる指令をコンピュータープログラムが更に含んでなる、請求項４のコンピューター読み取り可能な媒体。
【請求項９】
コンピューターにより実行される時に、コンピューターに以下の操作：
ユーザーに制御される入力装置とインターフェイスして、標的の腫瘍体積及び非標的の構造物体積の少なくとも１つに対する最少及び最大放射線量の少なくとも１つを受けて極値入力値を規定し、そして
極値入力に応答して、ユーザーによる等線量曲線操作を制約して、望ましくない付随的線量の変動を防止すること、
を実施させる指令をコンピュータープログラムが更に含んでなる、請求項４のコンピューター読み取り可能な媒体。
【請求項１０】
コンピューターにより実行される時に、コンピューターに以下の操作：
ユーザーに制御される入力装置とインターフェイスして、線量測定法の質を維持すること及び放射線送達装置に対する放射線送達効率を維持することの間の、ユーザーに所望される平衡を受けて、効率閾値を規定し；そして
効率閾値に応答して、ユーザーによる等線量曲線の操作を制約して放射線送達効率を効率閾値より上に維持すること、
を実施させる指令をコンピュータープログラムが更に含んでなる、請求項４のコンピューター読み取り可能な媒体。
【請求項１１】
コンピューターにより実行される時に、コンピューターに以下の操作：
第１の放射線ビーム配列に従う複数の線量体積のヒストグラムのプロットの形態の標的の腫瘍体積及び非標的の構造物体積に対する放射線量をグラフで表示するデータを提供すること、
を実施させる１組の指令をコンピュータープログラムが更に含んでなり、
ここで、少なくとも１つの線量体積のヒストグラムのプロットが、標的の腫瘍体積及び非標的の構造物体積の少なくとも１つに対する放射線量を第２の放射線ビーム配列を形成するように、変更するためにユーザーにより直接グラフ上に操作可能である、
患者における非標的の構造物体積に対する放射線を最少にしながら標的の腫瘍体積に放射線を適用するための最適化放射線ビーム配列を決定するためのコンピュータープログラムを含むコンピューター読み取り可能な媒体。
【請求項１２】
コンピューターにより実行される時に、コンピューターに以下の操作：
位置決め装置とインターフェイスして、表示される第１の放射線ビーム配列を変更し、  位置決め装置に対するユーザーの入力に応答して、第１の選択される位置に位置決付けされる線量体積ヒストグラムの一部を選択し、そして前以て決定された放射線量レベルを超えて受けることを許された標的の腫瘍体積又は非標的の構造物体積の第１の百分率を示し；そして
第２の選択される位置へのユーザーの所望される経路に沿った入力装置による線量体積ヒストグラムの選択された部分のユーザーによるドラッグに応答して、前以て決定された放射線量レベルを超えて受けることを許された標的の腫瘍体積又は非標的の構造物体積それぞれの百分率を変更して、それにより第２の放射線ビーム配列を形成すること、
を実施させる指令をコンピュータープログラムが更に含んでなる請求項１１のコンピューター読み取り可能な媒体。
【請求項１３】
コンピューターにより実行される時に、コンピューターに以下の操作：
ユーザーに制御される入力装置とインターフェイスして、標的の腫瘍体積及び非標的の構造物体積の少なくとも１つに対する最少及び最大放射線量の少なくとも１つを受けて、極値入力値を規定し；そして
極値入力値に応答して、ユーザーによる線量体積ヒストグラム操作を制約して、望ましくない付随的線量の変動を防止すること、
を実施させる指令をコンピュータープログラムが更に含んでなる請求項１１のコンピューター読み取り可能な媒体。
【請求項１４】
コンピューターにより実行される時に、コンピューターに以下の操作：
ユーザーに制御される入力装置とインターフェイスして、放射線送達装置に対する放射線送達コストと放射線送達効率の間のユーザーに所望される平衡を受けて、効率閾値を規定し；そして
効率閾値に応答して、ユーザーによる線量体積ヒストグラムの操作を制約して、効率閾値を超える放射線送達効率を維持すること、
を実施させる指令をコンピュータープログラムが更に含んでなる請求項１１のコンピューター読み取り可能な媒体。
【請求項１５】
コンピューターにより実行される時に、コンピューターに以下の操作：
第１の放射線量分布を規定する第１の放射線ビーム構成（ｃｏｎｆｉｇｕｒａｔｉｏｎ）を有する外部システムにより形成される、適合性でない第１の放射線処置計画を受け；そして
第１の放射線処置計画の第１の放射線ビーム構成に対応する極値を有する最適化目的関数（ｏｂｊｅｃｔｉｖｅ  ｆｕｎｃｔｉｏｎ）を構築して、第１の放射線量分布とほぼ同様な第２の放射線量分布を有する、適合性の第２の放射線処置計画を形成すること、
を実施させる１組の指令をコンピュータープログラムが更に含んでなる、
患者における非標的の構造物体積へ放射線を最少にしながら標的の腫瘍体積に放射線を適用するための外部に形成される放射線処置計画からの最適な放射線ビーム配列を決定するためのコンピュータープログラムを含むコンピューター読み取り可能な媒体。
【請求項１６】
コンピューターにより実行される時に、コンピューターに最適化目的関数を構築させる指令が更に、コンピューターに以下の操作：
第１の放射線処置計画の第１の放射線量分布をランダムに収集することにより複数の標的の腫瘍体積の収集ポイント及び複数の非標的の構造物体積の収集ポイントを形成し；
複数の標的の腫瘍体積の収集ポイント及び複数の非標的の構造物体積の収集ポイントそれぞれにおける放射線量の第１の値を決定し；そして
各複数の標的の腫瘍体積の収集ポイント及び各複数の非標的の構造物体積の収集ポイントに目的関数に対する１項（ａ  ｔｅｒｍ）を加えることにより最適化目的関数を形成すること、
を実施させ、
ここで各項は目的関数に対する極値を提供し、そして標的の腫瘍体積の収集ポイントと関連する項は、第２の放射線処置計画のいずれかの標的の腫瘍体積の収集ポイントにおける放射線量の第２の値が放射線量のそれぞれの第１の値と実質的に異なる時に、目的関数が放射線量にペナルティーを課すように選択される
請求項１５のコンピューター読み取り可能な媒体。
【請求項１７】
最適化目的関数が複数の制約を含み、そしてコンピューターにより実行される時に、コンピューターに最適化目的関数を構築させる指令が更に、コンピューターに以下の操作：
第１の放射線量分布を決定し；そして
最適化目的関数の極値が第１の放射線量分布とほぼ同様な放射線量分布に対応するように少なくとも１つの複数の制約を反復調整することにより最適化目的関数を形成すること、
を実施させる請求項１５のコンピューター読み取り可能な媒体。
【請求項１８】
コンピューターにより実行される時に、コンピューターに最適化目的関数を構築させる指令が更に、コンピューターに以下の操作：
第１の放射線処置計画の第１の放射線量分布をランダムに収集することにより複数の標的の腫瘍体積の収集ポイント及び複数の非標的の構造物体積の収集ポイントを形成し；
収集される放射線量分布を規定する各複数の標的の腫瘍体積の収集ポイント及び複数の非標的の構造物体積の収集ポイントにおける放射線量の第１の値を決定し；
収集される放射線量分布に応答して、各標的の腫瘍体積及び各非標的の構造物体積に対する線量−体積統計値を決定し；そして
各標的の腫瘍体積の線量−体積統計値及び非標的の構造物体積の線量−体積統計値に対する目的関数に１項を付加することにより最適化目的関数を形成すること、
を実施させ、
ここで、各項は目的関数に極値を提供し、そして標的の腫瘍体積の線量−体積統計値と関連する項が、第２の放射線処置計画のいずれかの標的の腫瘍体積の収集ポイントにおける放射線量の第２の値が放射線量のそれぞれの第１の値と実質的に、望ましくなく異なる時に、目的関数が標的の腫瘍体積に対する線量−体積統計値にペナルティーを課すように選択される
請求項１５のコンピューター読み取り可能な媒体。
【請求項１９】
コンピューターにより実行される時に、コンピューターに以下の操作：
各放射線処置計画がチェックポイントを規定する第１及び第２の放射線処置計画にアクセスし；
単一連続体上のエンドポイントとして２個のチェックポイントを確定し、
ユーザーに制御される入力装置とインターフェイスし；そして
ユーザー制御入力装置のユーザーの操作に応答して、２個のチェックポイント間を内挿して（ｉｎｔｅｒｐｏｌａｔｅ）、中間の提案される放射線処置計画を、形成し、表示すること、
を実施させる１組の指令をコンピュータープログラムが含んでなる、
患者における非標的の構造物体積への放射線を最少にしながら標的の腫瘍体積に放射線を適用するための１対の放射線処置計画からの最適化放射線ビーム配列を決定するためのコンピュータープログラムを含むコンピューター読み取り可能な媒体。
【請求項２０】
コンピューターにより実行される時に、コンピューターに２個のチェックポイント間を内挿させる指令が更に、コンピューターに以下の操作：
第１のチェックポイントに対する放射線量分布を含んでなる各複数のポイントにおける放射線量の第１の値を決定し；
第２のチェックポイントに対する放射線量分布を含んでなる各複数の対応するポイントにおける放射線量の第２の値を決定し；そして
放射線量の対応する第１及び第２の値の間を線形に内挿すること、
を実施させる請求項１９のコンピューター読み取り可能な媒体。
【請求項２１】
コンピューターにより実行される時に、コンピューターに更に以下の操作：
前以て選択された等角放射線治療の送達装置と適合性の対応する複数の放射線ビーム強度構成物（ｓｅｔｔｉｎｇｓ）への複数の放射線ビーム強度の離散化（ｄｉｓｃｒｅｔｉｚａｔｉｏｎ）により、中間の提案される放射線処置計画を、送達可能な別々の放射線処置計画に変換し；そして
送達可能な別々の放射線処置計画をグラフに表示するデータを提供すること、
を実施させる１組の指令をコンピュータープログラムが更に含んでなる、
中間の提案される放射線処置計画が、複数の放射線ビーム強度からなる放射線ビーム配列を含む、請求項２０のコンピューター読み取り可能な媒体。
【請求項２２】
標的の腫瘍体積及び非標的の構造物体積の画像スライスをグラフで表示し；
画像スライス上の、そして第１の処置計画を規定する第１の放射線ビーム配列に従う複数の等線量曲線を含む等線量プロットの形態の標的の腫瘍体積及び非標的の構造物体積に対する放射線量をグラフで表示し；そして
位置決め装置により少なくとも１つの等線量プロットの表示される等線量曲線を操作して、第２の放射線処置計画を規定する第２の放射線ビーム配列を形成し、表示すること、の段階を含んでなる、
患者における非標的の構造物体積への放射線を最少にしながら標的の腫瘍体積に放射線を適用するための最適化放射線ビーム配列を決定する方法。
【請求項２３】
少なくとも１つの表示される等線量曲線を操作する段階が：
第１の選択される位置に位置付けされ、そして所望の第１の線量レベルを有する等線量曲線の一部を位置決め装置でグラフ上で選択し；
画像スライス上の第１の選択される位置から望ましくない第２の線量レベルを有する画像スライス上の第２の選択される位置に、等線量曲線の選択される部分を位置決め装置によりグラフ上でドラッグし；そして
第１の選択される位置から第２の選択される位置への第１の線量レベルの移動に応答して、所望の第１の線量レベルに実質的に等しい第２の選択される位置に対する第２の線量レベルを構成し、それにより第２の処置計画を形成すること、
の段階を含んでなる請求項２２の方法。
【請求項２４】
望ましくない線量レベルが所望される線量レベルより大きい時に、制約が第１の位置と選択される位置の間の線量を、所望される線量レベルを超えない値のレベルに直接制約し、そして望ましくない線量レベルが望ましい線量レベルより低い時に、制約が第１の位置と選択される位置の間の線量を、所望される線量レベル以上の値のレベルに直接制約する、画像スライス上の第１及び第２の選択される位置の間に制約を確立する段階を更に含んでなる、請求項２３の方法。
【請求項２５】
表示される等線量曲線の少なくとも１つを操作する段階が：
第１の選択される位置に位置付けされ、そしてユーザーの所望の線量レベルを有する等線量曲線の一部を位置決め装置でグラフ上で選択し；
画像スライス上の第１の選択される部分から、等線量曲線により囲まれた画像スライスの一部を実質的に囲む等線量曲線の別の部分に隣接する画像スライス上の第２の選択される位置へのユーザーに所望される経路を位置決め装置によりグラフ上にマークし；そして
ユーザーの所望される経路のマーク付けに応答して、ユーザーの所望される経路に隣接
して制約される所望の線量レベルを有する第２の処置計画を形成すること、
の段階を含んでなる、請求項２２の方法。
【請求項２６】
表示される等線量曲線の少なくとも１つを操作する段階が：
第１の放射線ビーム配列に従う等線量曲線を位置決め装置でグラフ上に選択し；そして
等線量曲線の選択に応答して、等線量曲線内の放射線量の値を等線量曲線の外側の放射線量の値にほぼ等しい値に矯正し、それにより第２の放射線ビーム配列を形成すること、
を含んでなる、請求項２２の方法。
【請求項２７】
第１の処置計画を規定する第１の放射線ビーム配列に従う複数の線量体積ヒストグラムのプロットの形態の標的の腫瘍体積及び非標的の構造物体積に対する放射線量をグラフで表示し；そして
表示される線量体積ヒストグラムのプロットの少なくとも１つを位置決め装置により操作して、第２の処置計画を規定する第２の放射線ビーム配列を形成し、表示すること、
の段階を含んでなる、
患者における非標的の構造物体積への放射線を最少にしながら、標的の腫瘍体積に放射線を適用するための最適化放射線ビーム配列を決定する方法。
【請求項２８】
少なくとも１つの表示される線量体積ヒストグラムのプロットを操作する段階が：
第１の選択される位置における線量体積ヒストグラムの一部をグラフ上で位置決め装置により選択し、そして前以て選択される放射線量レベルより大量を受けることを許された標的の腫瘍体積又は非標的の構造物の第１の百分率を示し；
ユーザーに所望される経路に沿った第１の選択される位置から前以て選択される放射線量レベルより大量を受けることを許された標的の腫瘍体積又は非標的の構造物の第２の百分率を示す第２の選択される位置に、線量体積のヒストグラムの選択される部分をグラフ上で位置決め装置によりドラッグし；そして
第１の選択される位置からの第２の選択される位置への線量体積ヒストグラムの選択される部分の移動に応答して、前以て決定される放射線量レベルより大量を受けることを許された標的の腫瘍体積又は非標的の構造物体積の百分率を変更し、それにより第２の放射線ビーム配列を形成すること、
の段階を含んでなる、請求項２７の方法。
【請求項２９】
標的の腫瘍体積及び非標的の構造物体積の少なくとも二次元の画像を得るためのコンピューター及び画像収集装置を提供し；
画像を表示し、ユーザーインターフェイスオプションを表示するためのグラフィックユーザーインターフェイスを提供し；
画像中に標的の腫瘍体積及び非標的の構造物体積を特定し；
第１の放射線ビーム配列を有する外部システムにより作成される第１の放射線処置計画を受け；そして
第１の放射線処置計画に応答して、第１の放射線処置計画の第１の放射線ビーム構成（ｃｏｎｆｉｇｕｒａｔｉｏｎ）に対応する極値を有する最適化目的関数を構築すること、
の段階を含んでなる、
患者における非標的の構造物体積への放射線を最少にしながら、標的の腫瘍体積に放射線を適用するために外部に形成された処置計画から最適化放射線処置計画を形成する方法。
【請求項３０】
各々最適化放射線処置計画により制御される放射線ビーム送達強度及び複数の放射線ビームフィールドセグメントを有することを特徴とする、最適化放射線処置計画を実行するようになっている等角放射線治療の送達装置を提供し；
最適化放射線処置計画を形成するための複数の制約を有する最適化目的関数を構築し；
そして
以下の１以上：放射線ビームフィールドセグメント数に比例する制約及び平均放射線ビーム減衰に比例する制約、を最適化目的関数に付加し、それにより最適化放射線処置計画の効率を調整すること、
の段階を含んでなる、
患者における非標的の構造物体積への放射線を最少にしながら標的の腫瘍体積に放射線を適用するための最適化放射線処置計画を形成する方法。
【請求項３１】
放射線ビームフィールドのセグメント数に比例する制約が、一時的効率が選択される閾値より下に減少する時に値を増加する、請求項３０の方法。
【請求項３２】
平均放射線ビーム減衰に比例する制約が、放射線処置期間中に送達されることができる無効な放射線の総量を制御する、請求項３０の方法。
【請求項３３】
標的の腫瘍体積及び非標的の構造物体積の画像スライスをグラフに表示し；
標的の腫瘍体積及び非標的の構造物体積に対する放射線量分布を画像スライス上にそして第１の処置計画を規定する第１の放射線ビーム配列に従う複数の等線量曲線を含む等線量プロットの形態で同時にグラフに表示し；そして
標的の腫瘍体積及び非標的の構造物体積の少なくとも１つの放射線量分布を変更して、
第２の処置計画を規定する第２の放射線ビーム配列を形成し；
表示される画像スライス上に表示される二次元の線量分布のみを再計算し；そして
再計算された二次元の線量分布を表示することの段階を含んでなる、
二次元の放射線量分布の再計算及び表示により、提案される放射線処置計画に対する双方向性の（ｉｎｔｅｒａｃｔｉｖｅ）調整を容易にする方法。
【請求項３４】
第１の放射線ビーム配列に従って標的の腫瘍体積及び非標的の構造物体積に対する第１の放射線量分布を提供し；
第１の放射線量分布をランダムに収集することにより第１の放射線ビーム配列に対する複数の収集ポイントを形成し；
各複数の収集ポイントにおける放射線線量の値を決定し；
複数の収集ポイントに対する放射線量の値に従って線量−体積統計値を規定する複数の線量体積ヒストグラムのプロットの形態の標的の腫瘍体積及び非標的の構造物に対する放射線量をグラフで表示し；
標的の腫瘍体積及び非標的の構造物の少なくとも１つの放射線量分布を変更して第２の放射線ビーム配列を形成し；、
各複数の収集ポイントにおける放射線量の値を再計算し；そして
複数の収集ポイントに対する放射線量の再計算値に従って標的の腫瘍体積及び非標的の構造物に対する線量−体積統計値を表示すること、
の段階を含んでなる、
線量−体積統計値の再計算及び表示により、提案される放射線処置計画に対する双方向性計画の調整を容易にする方法。
【請求項３５】
第１の放射線ビーム配列に従って標的の腫瘍体積及び非標的の構造物体積に対する第１の放射線量分布を提供し；
第１の放射線量分布をランダムに収集することにより第１の放射線ビーム配列のための複数の収集ポイントを形成し；
各複数の収集ポイントにおける放射線量の値を決定し；
各複数の収集ポイントにおける放射線量の値により制約される最適化目的関数を提供し；
最適化目的関数を適用して第２の放射線ビーム配列を形成し；
各複数の収集ポイントにおける放射線量の値を再計算し；そして
複数の収集ポイントに対して再計算された放射線の値に従って標的の腫瘍体積及び非標的の構造物に対する放射線量分布を表示すること、
の段階を含んでなる、
放射線処置計画最適化により、提案される放射線処置計画に対する双方向性の計画調整を容易にする方法。
【請求項３６】
標的の腫瘍体積が外側の境界を有し、そしてランダムな収集にバイアスを与えて、標的の腫瘍体積の外側の境界に隣接する収集確率を増加させる、請求項３５の方法。
【請求項３７】
第１の放射線ビーム配列に従って、標的の腫瘍体積及び非標的の構造物体積に対する第１の放射線量分布を提供し；
第１の放射線量分布をランダムに収集することにより、第１の放射線ビーム配列に対して、各計画最適化の収集ポイントが放射線量の値を有する複数の計画最適化の収集ポイントを形成し；
第１の放射線量分布をランダムに収集することにより第１の放射線ビーム配列のための複数の計画評価の収集ポイントを、計画最適化の収集ポイントとは別に形成し；
各複数の最適化計画の収集ポイントにおける放射線量の値を決定し；
各複数の計画評価の収集ポイントにおける放射線量の値を決定し；
各複数の計画最適化の収集ポイントにおける放射線量の値により制約される最適化目的関数を提供し；
複数の計画評価の収集ポイントの値に従って線量−体積統計値を規定する複数の線量体積ヒストグラムのプロットの形態の標的の腫瘍体積及び非標的の構造物に対する放射線量をグラフで表示し；
最適化目的関数を適用して第２の放射線ビーム配列を形成し；
第２の放射線ビーム配列に対する各複数の計画評価の収集ポイントにおける放射線量の値を再計算し；そして
複数の計画評価の収集ポイントに対して再計算された値に従って標的の腫瘍体積及び非標的の構造物体積に対する線量−体積統計値を表示すること、
の段階を含んでなる、
放射線処置計画最適化及び線量−体積統計値の再計算及び表示により、提案される放射線処置計画に対する双方向性の計画調整を容易にする方法。
【請求項３８】
候補の放射線処置計画及び最適化目的関数を提供して候補の放射線処置計画を反復して評価し；
候補の放射線処置計画を反復して評価して複数の前以て選択される臨床的目標を満足させ、そして先行放射線処置計画を規定する任意の放射線ビーム強度値を有する最適化放射線ビーム配列を形成し；  
候補の放射線処置計画の最適化期間中に、評価される少なくとも２件の放射線処置計画の反復物の記録を提供し；そして
反復評価に応答して、評価される少なくとも２件の放射線処置計画から先行放射線処置計画の臨床的放射線送達目標に実質的に適合するために必要な別々の放射線ビーム強度の
組み合わせを推測して、それにより最適化放射線処置計画を形成すること、
の段階を含んでなる、
患者における非標的の構造物体積の放射線を最少にしながら、標的の腫瘍体積に放射線を適用するための任意の放射線ビーム強度値をもつことを特徴とする、放射線処置計画からの固定された１組の別々の放射線ビーム強度値を有する最適化放射線処置計画を形成する方法。
【請求項３９】
放射線ビーム配列に従って標的の腫瘍体積及び少なくとも１種の非標的の構造物体積に対する放射線量分布を提供し；
第１の放射線量分布をランダムに収集することにより放射線ビーム配列に対する複数の収集ポイントを形成し；
各複数の収集ポイントにおける放射線量の値を決定し；
各標的の腫瘍体積及び少なくとも１種の非標的の構造物体積に対して最高値を有する複数の収集ポイントの第１組及び最低値を有する複数の収集ポイントの第２組を特定し；
各第１組に勾配上昇アルゴリズムを適用して、標的の腫瘍体積及び少なくとも１種の非標的の構造物体積に対する放射線量最大値を決定し、表示し；そして
各第２組に勾配下降アルゴリズムを適用して、標的の腫瘍体積及び少なくとも１種の非標的の構造物体積に対する放射線量最小値を決定し、表示すること、
の段階を含んでなる、
標的の腫瘍体積及び非標的の構造物体積に対する放射線量最小値及び放射線量最大値の再計算及び表示により、提案される放射線処置計画に対する双方向性の計画調整を容易にする方法。